(57)【要約】【課題】浴室ユニットにおける支柱の立設構造において、支柱を強固に止着すると共に浴室空間を広くできるようにする。【解決手段】浴室ユニット２０における支柱２８の立設構造は、他方側の下位パネル載せ部２３に段差部２４を介して連結する一方側の上位パネル載せ部２５に、半分側の下端２８ａが下位パネル載せ部２３上に臨む状態で壁パネル連結用支柱２８を立設し、段差用当接片３２及び支柱用当接片３３を連結片３１で連結した支柱固定具３０を用い、段差部２４に段差用当接片３２をネジ止めすると共に、支柱２８の他方側の側部２８ｂに支柱用当接片３３をネジ止めして、支柱２８の室外側背面２８ｃに連結片３１を当接した状態で支柱２８を段差部２４に止着したこと。【選択図】図１
2008291509.tif 000002
【特許請求の範囲】
【請求項１】
他方側の下位パネル載せ部に段差部を介して連結する一方側の上位パネル載せ部に、半分側の下端が下位パネル載せ部上に臨む状態で壁パネル連結用支柱を立設した浴室ユニットにおける支柱の立設構造において、段差用当接片及び支柱用当接片を連結片で連結した支柱固定具を用い、前記段差部に該段差用当接片をネジ止めすると共に、前記支柱の他方側の側部に該支柱用当接片をネジ止めして、前記支柱の室外側背面に該連結片を当接した状態で前記支柱を前記段差部に止着したことを特徴とする浴室ユニットにおける支柱の立設構造。
【請求項２】
前記支柱固定具は、前記支柱用当接片の室内側縦側縁に連接し、前記下位パネル載せ部に載置した壁パネルの室外側背面に当接するパネル用当接片を備えた請求項１に記載の浴室ユニットにおける支柱の立設構造。
【請求項３】
前記上位パネル載せ部は、その室外側に上方へ行く程に室外側へ行くように傾斜する室内手前側の壁面を有する水切り壁が立設され、前記支柱固定具は、前記連結片から一方側へ延長し、前記支柱の室外側背面と該水切り壁の壁面との隙間へ差し込んだ差込み片を備えた請求項１又は２に記載の浴室ユニットにおける支柱の立設構造。
【請求項４】
他方側の下位パネル載せ部に段差部を介して連結する一方側の上位パネル載せ部に、半分側の下端が下位パネル載せ部上に臨む状態で立設した壁パネル連結用支柱を止着できる支柱固定具において、前記段差部にネジ止めできる段差用当接片と、前記支柱の他方側の側部にネジ止めできる支柱用当接片と、段差用当接片及び支柱用当接片を連結して前記支柱の室外側背面に当接できる連結片とを備えたことを特徴とする支柱固定具。
【請求項５】
前記支柱用当接片の上下反対側に設けた別の支柱用当接片と、前記段差用当接片及び別の支柱用当接片を連結する前記連結片の延長部とを備えた請求項４記載の支柱固定具。
【発明の詳細な説明】
【技術分野】
【０００１】
本発明は、他方側の下位パネル載せ部に段差部を介して連結する一方側の上位パネル載せ部に、半分側の下端が下位パネル載せ部上に臨む状態で壁パネル連結用支柱を立設した浴室ユニットにおける支柱の立設構造，及び，前記支柱を止着できる支柱固定具に関する。
【背景技術】
【０００２】
特許文献１に記載された浴室ユニットにおける支柱の立設構造１００は、図１０に示す如く、他方側の下位パネル載せ部１０１に段差部１０２を介して連結する一方側の上位パネル載せ部１０３に、半分側の下端１０４ａが下位パネル載せ部１０１上に臨む状態で壁パネル連結用支柱１０４を立設したものであり、上位パネル載せ部１０３の室外側に立設した上位壁添接部１０３ａと、下位パネル載せ部１０１の室外側に立設した下位壁添接部１０１ａと、下位壁添接部１０１ａの一方側寄り上端から段差部１０２に沿って上位壁添接部１０３ａの他方側端部１０３ａ−１へ連結された連結部１０２ａとを備える。支柱１０４は、その室外側背面が上位壁添接部１０３ａの他方側端部１０３ａ−１及び連結部１０２ａの上方側端部１０２ａ−１に止着されている。
【特許文献１】実開平１−１５０８６０号公報
【０００３】
上記の他に、図１１に示す浴室ユニットにおける支柱の立設構造１１０は、前記連結部１０２ａが省略され、図１１（Ｂ）に示す如く、支柱１０４が固定プレート１１１を介して上位壁添接部１０３ａに止着されている態様もある。固定プレート１１１は、図１１（Ａ）に示す如く、一方側ネジ止め部１１１ａが上位壁添接部１０３ａの他方側端部１０３ａ−１にネジ止めされており、図１１（Ｂ）に示す如く、他方側ネジ止め部１１１ｂが支柱１０４の背板１０４ｂの下端寄りにネジ止めされている。
【発明の開示】
【発明が解決しようとする課題】
【０００４】
しかし、上記の図１０に示した浴室ユニットにおける支柱の立設構造１００は、（１）上位壁添接部１０３ａの他方側端部１０３ａ−１及び連結部１０２ａの上方側端部１０２ａ−１に集中した止着となるので、十分な止着強度を得ることが困難であるという問題があり、又、上記の図１１に示した浴室ユニットにおける支柱の立設構造１１０は、（２）上位壁添接部１０３ａの他方側端部１０３ａ−１に集中した止着となるので、十分な止着強度を得ることが困難であり、（３）支柱１０４が固定プレート１１１の厚み分だけ浴室内手前側に迫り出すように位置するため、浴室ユニットの内側の浴室空間が狭くなるという問題があった。
【０００５】
本発明は、上記課題を解決するために、壁パネル連結用支柱を強固に止着すると共に浴室空間を広くできるようにする、浴室ユニットにおける支柱の立設構造及び支柱固定具の提供を目的とする。
【課題を解決するための手段】
【０００６】
壁パネル連結用支柱を強固に止着すると共に、浴室空間を広くできるようにするために請求項１記載の本発明が採用した手段は、他方側の下位パネル載せ部に段差部を介して連結する一方側の上位パネル載せ部に、半分側の下端が下位パネル載せ部上に臨む状態で壁パネル連結用支柱を立設した浴室ユニットにおける支柱の立設構造において、段差用当接片及び支柱用当接片を連結片で連結した支柱固定具を用い、前記段差部に該段差用当接片をネジ止めすると共に、前記支柱の他方側の側部に該支柱用当接片をネジ止めして、前記支柱の室外側背面に該連結片を当接した状態で前記支柱を前記段差部に止着したことを特徴とする浴室ユニットにおける支柱の立設構造である。
【０００７】
下位パネル載せ部に載置した壁パネルを位置ズレさせることのない支持を得るために請求項２記載の本発明が採用した手段は、前記支柱固定具は、前記支柱用当接片の室内側縦側縁に連接し、前記下位パネル載せ部に載置した壁パネルの室外側背面に当接するパネル用当接片を備えた請求項１に記載の浴室ユニットにおける支柱の立設構造である。
【０００８】
支柱の室外背側への位置ズレを防止するために請求項３記載の本発明が採用した手段は、前記上位パネル載せ部は、その室外側に上方へ行く程に室外側へ行くように傾斜する室内手前側の壁面を有する水切り壁が立設され、前記支柱固定具は、前記連結片から一方側へ延長し、前記支柱の室外側背面と該水切り壁の壁面との隙間へ差し込んだ差込み片を備えた請求項１又は２に記載の浴室ユニットにおける支柱の立設構造である。
【０００９】
壁パネル連結用支柱を強固に止着すると共に、浴室空間を広くできるようにするために請求項４記載の本発明が採用した手段は、他方側の下位パネル載せ部に段差部を介して連結する一方側の上位パネル載せ部に、半分側の下端が下位パネル載せ部上に臨む状態で立設した壁パネル連結用支柱を止着できる支柱固定具において、前記段差部にネジ止めできる段差用当接片と、前記支柱の他方側の側部にネジ止めできる支柱用当接片と、段差用当接片及び支柱用当接片を連結して前記支柱の室外側背面に当接できる連結片とを備えたことを特徴とする支柱固定具である。
【００１０】
室内側から見たときに上位パネル載せ部が下位パネル載せ部の左側に設けられて支柱の右側に本発明固定具を設ける態様、及び、室内側から見たときに上位パネル載せ部が下位パネル載せ部の右側に設けられて支柱の左側に本発明固定具を設ける態様のいずれの態様にも本発明固定具を使用できるようにするために請求項５記載の本発明が採用した手段は、前記支柱用当接片の上下反対側に設けた別の支柱用当接片と、前記段差用当接片及び別の支柱用当接片を連結する前記連結片の延長部とを備えた請求項４記載の支柱固定具である。
【発明の効果】
【００１１】
請求項１記載の本発明に係る浴室ユニットにおける支柱の立設構造は、支柱が支柱固定具を介して段差部にネジ止めされ、更に支柱の室外側背面が固定具の連結片で支持されるので、支柱を段差部へ強固に止着できる。又、従来必要としていた、支柱を浴室内手前側に迫り出させる原因となっていた固定プレートを無くすことができるので、支柱を室外側へ寄せて浴室ユニット内側の浴室空間を広くすることができる。
【００１２】
請求項２記載の本発明に係る浴室ユニットにおける支柱の立設構造は、支柱固定具が下位パネル載せ部に載置した壁パネルの室外側背面をパネル用当接片で支持するので、室内側から該壁パネルに押圧力がかかっても壁パネルを位置ズレさせない壁パネルの支持を得ることができる。
【００１３】
請求項３記載の本発明に係る浴室ユニットにおける支柱の立設構造は、支柱が室外側へ位置ズレしようとするときに水切り壁が差込み片を介して支柱の室外側背面を支持するので、支柱の室外側への位置ズレを防止できる。
【００１４】
請求項４記載の本発明に係る支柱固定具は、支柱を段差部にネジ止めでき、更に支柱の室外側背面を連結片で支持できるので、支柱を段差部へ強固に止着できる。又、従来必要としていた、支柱を浴室内手前側に迫り出させる原因となっていた固定プレートを無くすことができるので、支柱を室外側へ寄せて浴室ユニット内側の浴室空間を広くすることができる。
【００１５】
請求項５記載の本発明に係る支柱固定具は、上下そのままに使用した場合に、段差用当接片を段差部にネジ止めして支柱用当接片を支柱の左右のいずれか一方側の側部にネジ止めでき、上下逆さに使用した場合に、段差用当接片を段差部にネジ止めして別の支柱用当接片を支柱の左右の他方側の側部にネジ止めできるので、室内側から見たときに上位パネル載せ部が下位パネル載せ部の左側に設けられて支柱の右側に本発明固定具を設ける態様、及び、室内側から見たときに上位パネル載せ部が下位パネル載せ部の右側に設けられて支柱の左側に本発明固定具を設ける態様のいずれの態様にも本発明固定具を使用することができる。
【発明を実施するための最良の形態】
【００１６】
本発明に係る浴室ユニットにおける支柱の立設構造（以下、「本発明構造」という。）及び支柱固定具（以下、「本発明固定具」という。）について実施の形態を示す図面に基いて説明する。
【００１７】
（第１の実施の形態）
図１〜図４は、本発明構造の第１の実施の形態を示すものである。図１は、本発明構造１０の各構成部材を分離して示す斜視図である。図２は、壁パネル２６，２７を破断して本発明構造１０の主要部を示す斜視図である。図３は、本発明構造１０に用いられる本発明固定具３０を示す斜視図である。図４は、本発明構造１０の組立て経過状態を同図（Ａ）〜（Ｄ）の順に示したものであって、同図（Ａ）は、本発明固定具３０を取り付ける前の下位パネル載せ部２３、段差部２４、上位パネル載せ部２５を示す平面図であり、同図（Ｂ）は、段差部２４に本発明固定具３０を取り付けた状態を示す平面図であり、同図（Ｃ）は、本発明固定具３０を介して段差部２４に支柱２８を止着した状態を示す平面図であり、同図（Ｄ）は、支柱２８に壁パネル２６，２７を連結した組立て完了状態を示す平面図である。
【００１８】
本発明構造１０は、浴室ユニット２０において、他方側の下位パネル載せ部２３に段差部２４を介して連結する一方側の上位パネル載せ部２５に半分側の下端２８ａが下位パネル載せ部２３上に臨む状態で立設した、壁パネル２６，２７どうし（図２参照）を連結する壁パネル連結用支柱２８を、本発明固定具３０を用いて段差部２４に止着したものである。前記浴室ユニット２０は、図１に示す如く、洗い場２１の床面より浴槽２２の上縁が高いために、洗い場２１の周縁に形成されるパネル載せ部２３よりも浴槽２２の周縁に形成されるパネル載せ部２５の方が高い位置となって、両パネル載せ部２３，２５の間に段差部２４を形成するものである。下位パネル載せ部２３は洗い場防水パン２１の周縁に一体に形成され、上位パネル載せ部２５は浴槽２２の周縁に一体に形成されるか又は浴槽２２を載置する浴槽用防水パン（図示省略）の起立した周壁上部に形成されている。下位パネル載せ部２３及び上位パネル載せ部２５には、図１に示す如く、その各々の室外側の側縁に、上方へ行く程に室外側へ行くように傾斜する室内手前側の壁面２３ａ−１，２５ａ−１を有する水切り壁２３ａ，２５ａが立設されている。
【００１９】
本発明固定具３０は、図３及び図１に示す如く、方形板状の連結片３１と、連結片３１の一方側縦側縁３１ａの下端寄りに連接され室内手前側へ直角に突出した方形板状の段差用当接片３２と、連結片３１の他方側縦側縁３１ｂに連接され室内手前側へ直角に突出した方形板状の支柱用当接片３３とが、一枚の切断した金属板を折り曲げる等して成形されている。本発明固定具３０は、段差用当接片３２及び支柱用当接片３３の各々に、適宜数のビス挿通孔３２ａ、３３ａが穿設されている。このように、本発明固定具３０は、図４の図（Ｃ）に示す如く、段差部２４にネジ止めできる段差用当接片３２と、支柱２８の他方側の側部２８ｂにネジ止めできる支柱用当接片３３と、段差用当接片３２及び支柱用当接片３３を連結して支柱２８の室外側背面２８ｃに当接できる連結片３１とを備えている。
【００２０】
そして、本発明固定具３０を用いた本発明構造１０は、段差部２４に段差用当接片３２をネジ止めすると共に、支柱２８の他方側の側部２８ｂに支柱用当接片３３をネジ止めして、支柱２８の室外側背面２８ｃに連結片３１を当接した状態で支柱２８を段差部２４に止着することにより、支柱２８を本発明固定具３０を介して段差部２４にネジ止めし、更に支柱２８の室外側背面２８ｃを本発明固定具３０の連結片３１で支持するので、支柱２８を段差部２４へ強固に止着できる。支柱２８を段差部２４へ強固に取着できるのは、段差部２４の上下縁が上位パネル載せ部２４及び下位パネル載せ部２３に連結されているのに対して、水切り壁２５ａの下縁のみが上位パネル載せ部２４に連結されているため、止着したものを止め付ける強度について、従来の取着の相手方としていた水切り壁２５ａに比べて段差部２４の方を強くできるからである。又、本発明構造１０は、従来必要としていた、支柱２８を浴室内手前側に迫り出させる原因となる固定プレートを無くすことができるので、支柱２８を室外側へ寄せて浴室ユニット２０の内側の浴室空間Ｓを広くすることができる。
【００２１】
本発明構造１０の組立て方法は、次の（１）〜（３）手順で行われる。
（１）先ず、段差部２４に垂直の位置決め線２４ａ（図１参照）を記し、位置決め線２４ａに段差用当接片３２の室内手前側縦側縁３２ｂを突き合わした状態で、図４の図（Ｂ）に示す如く、段差部２４に段差用当接片３２をビス４０でネジ止めする。
（２）次に、支柱２８の室外側背面２８ｃを連結片３１に当接させると共に支柱２８の他方側の側部２８ｂを支柱用当接片３３に当接させ、支柱２８をその半分側の下端２８ａが下位パネル載せ部２３上に臨む状態に位置決めして、支柱２８を上位パネル載せ部２５に起立する。この後、図４の図（Ｃ）の如く、支柱２８の他方側の側部２８ｂを支柱用当接片３３にビス４０でネジ止めする。支柱２８は、その頂部を一方側及び他方側のコーナーポスト（図示省略）の頂部どうしを繋ぐ梁材等にビス等で連結されて立設される。
（３）最後に、図４の図（Ｄ）に示す如く、壁パネル２６の他方側縦側縁２６ａを支柱２８に内嵌して壁パネル２６を上位パネル載せ部２５に載置すると共に、壁パネル２７の一方側縦側縁２７ａを支柱２８に内嵌して壁パネル２７を下位パネル載せ部２３に載置し、本発明構造１０の組立てを完了する。なお、壁パネル２６の他方側縦側縁２６ａと壁パネル２７の一方側縦側縁２７ａとの間には必要に応じてスペーサー（図示省略）を嵌入する場合もある。
【００２２】
本発明構造１０は、上記した組立て手順（２）において、支柱２８の室外側背面２８ｃを連結片３１に当接させると共に支柱２８の他方側の側部２８ｂを支柱用当接片３３に当接させることができるので、支柱２８をその半分側の下端２８ａが下位パネル載せ部２３上に臨む状態に正確且つ容易に位置決めして、支柱２８を上位パネル載せ部２５に立設することができる。
【００２３】
（第２の実施の形態）
図５〜図７は、本発明構造の第２の実施の形態を示すものである。図５は、本発明構造５０に用いられる本発明固定具６０を示す斜視図である。図６は、本発明固定具６０を介して段差部２４に支柱２８を止着した状態を示すものであって、同図（Ａ）は平面図であり、同図（Ｂ）は同図（Ａ）のｂ−ｂ線で断面した側面図である。図７は、本発明構造５０の組立て経過状態を同図（Ａ）〜（Ｃ）の順に示したものであって、同図（Ａ）は、本発明固定具５０を段差部２４に取り付ける前の状態を示す分解斜視図であり、同図（Ｂ）は、段差部２４に本発明固定具５０を取り付けた状態を示す分解斜視図であり、同図（Ｃ）は、本発明固定具５０を介して段差部２４に支柱２８を止着した状態を示す斜視図である。
【００２４】
本実施の形態に係る本発明構造５０が第１の実施の形態の本発明構造１０と大きく相違する点は、図５に示す如く、本発明固定具６０に、支柱用当接片３３の室内側縦側縁３３ｂに連接して直角に他方側に延長したパネル用当接片６１と、連結片３１の上方の縦側縁３１ａから一方側に延長した差込片６２を設けた点にある。
【００２５】
本発明構造５０は、本発明固定具６０のパネル用当接片６１が、図６の図（Ａ）に示す如く、下位パネル載せ部２３に載置した壁パネル２７の室外側背面（本例では、鋼板２７ｂの裏面側に設けられた石膏ボード等からなる裏打材２７ｃ）に当接するので、本発明固定具６０が壁パネル２７をパネル用当接片６１で支持でき、室内側から壁パネル２７に不意な押圧力がかかっても壁パネル２７を位置ズレさせない強固な支持構造を得ることができる。なお、本発明固定具６０は、段差用当接片３２、連結片３１、支柱用当接片３３及びパネル用当接片６１をそれぞれ下方の下位パネル載せ部２３付近（図１参照）まで延長した態様を採用し、これにより、壁パネル２７の室外側背面をパネル用当接片６１で支持できる面積を増やして、より強固な壁パネル２７の支持構造を得るようにしてもよい。
【００２６】
又、本発明構造５０は、図６の図（Ｂ）の如く、水切り壁２５ａの壁面２５ａ−１が上方へ行く程に室外側へ行くように傾斜している態様に適用され、本発明固定具６０の差込片６２が、図６の図（Ａ）及び同図（Ｂ）に示す如く、支柱２８の室外側背面２８ｃと水切り壁２５ａの傾斜した壁面２５ａ−１との隙間へ差し込まれており、支柱２８が室外側へ位置ズレしようとするときに、水切り壁２５ａが差込み片６２を介して支柱２８の室外側背面２８ｃを支持するので、支柱２８の室外側への位置ズレを防止できる。
【００２７】
上記相違点以外の構成は、第１の実施の形態における本発明構造１０と実質的に同一であり、図５〜図７に示す符号のうち、図１〜図４（第１の実施の形態）と同一のものは、同一の構成部材を示す。
【００２８】
（第３の実施の形態）
図８及び図９は、本発明構造の第３の実施の形態を示すものである。図８の図（Ａ）は、本発明構造７０に用いられる本発明固定具８０を示す斜視図であって、同図（Ｂ）は、同図（Ａ）に示す本発明固定具８０を上下逆さにすることで左右対称にした態様を示す斜視図である。図９は、本発明構造７０を示す斜視図であって、同図（Ａ）は、室内側から見て左側にある上位パネル載せ部２５に立設した支柱２８を図８の図（Ａ）に示す状態にある本発明固定具８０を用いて段差部２４に止着した構造を示すものであり、同図（Ｂ）は、同図（Ａ）とは左右対称な状態を示すものであって、室内側から見て右側にある上位パネル載せ部７２に立設した支柱７３を図８の図（Ｂ）に示す状態にある本発明固定具８０を用いて段差部７１に止着した構造を示すものである。
【００２９】
本実施の形態に係る本発明構造７０が第１の実施の形態の本発明構造１０と大きく相違する点は、図８の図（Ａ）に示す如く、本発明固定具８０に、支柱用当接片３３の上下反対側に設けた別の支柱用当接片８１と、段差用当接片３２及び別の支柱用当接片８１を連結する連結片３１の延長部８２とを備える点にある。これにより、本発明構造７０は、図８の図（Ａ）に示す如く本発明固定具８０を上下そのままに使用した場合に、図９の図（Ａ）に示す如く段差用当接片３２を段差部２４にネジ止めして支柱用当接片３３を支柱２４の右側の側部２８ｂにネジ止めでき、又、図８の図（Ｂ）に示す如く本発明固定具８０を上下逆さに使用した場合に、図９の図（Ｂ）に示す如く段差用当接片３２を段差部７１にネジ止めして別の支柱用当接片８１を支柱７３の左側の側部７３ｂにネジ止めできるので、図９の図（Ａ）に示す如く室内側から見たときに上位パネル載せ部２５が下位パネル載せ部２３（図１参照）の左側に設けられて支柱２８の右側に本発明固定具７０を設ける態様、及び、図９の図（Ｂ）に示す如く室内側から見たときに上位パネル載せ部７２が下位パネル載せ部（図示省略）の右側に設けられて支柱７３の左側に本発明固定具７０を設ける態様のいずれの態様にも本発明固定具７０を使用することができる。
【００３０】
本発明固定具８０は、図８に示す如く、別の支柱用当接片８１に適宜数のビス挿通孔８１ａが穿設されている。本発明固定具８０は、支柱用当接片３３と別の支柱用当接片８１とを中間部８３を介して連結して一枚板で形成しており、中間部８３に段差用当接片３２に穿設されたビス挿通孔３２ａよりも大径でビス４０の頭部も挿通可能なビス挿通孔８３ａが穿設されている。これにより、図９の図（Ａ）及び図（Ｂ）に示す如く、ビス挿通用孔８３ａに挿通したビス４０で段差部２４，７１に段差用当接片３２をネジ止めすることができる。
【００３１】
上記相違点以外の構成は、第１の実施の形態における本発明構造と実質的に同一であり、図８及び図９に示す符号のうち、図１〜図４（第１の実施の形態）と同一のものは、同一の構成部材を示す。
【図面の簡単な説明】
【００３２】
【図１】本発明構造の第1の実施の形態を示すものであって、各構成部材を分離して示す斜視図である。
【図２】同実施の形態において、壁パネルを破断して本発明構造の主要部を示す斜視図である。
【図３】同実施の形態において、本発明構造に用いられる本発明固定具を示す斜視図である。
【図４】同実施の形態において、本発明構造の組立て経過状態を同図（Ａ）〜（Ｄ）の順に示したものであって、同図（Ａ）は、本発明固定具を取り付ける前の上位パネル載せ部、段差部、下位パネル載せ部を示す平面図であり、同図（Ｂ）は、段差部に本発明固定具を取り付けた状態を示す平面図であり、同図（Ｃ）は、本発明固定具を介して段差部に支柱を止着した状態を示す平面図であり、同図（Ｄ）は、支柱に壁パネルを連結した組立て完了状態を示す平面図である。
【図５】本発明構造の第２の実施の形態を示すものであって、本発明構造に用いられる本発明固定具を示す斜視図である。
【図６】同実施の形態において、本発明固定具を介して段差部に支柱を止着した状態を示すものであって、同図（Ａ）は平面図であり、同図（Ｂ）は同図（Ａ）のｂ−ｂ線で断面した側面図である。
【図７】同実施の形態において、本発明構造の組立て経過状態を同図（Ａ）〜（Ｃ）の順に示したものであって、同図（Ａ）は、本発明固定具を段差部に取り付ける前の状態を示す分解斜視図であり、同図（Ｂ）は、段差部に本発明固定具を取り付けた状態を示す分解斜視図であり、同図（Ｃ）は、本発明固定具を介して段差部に支柱を止着した状態を示す斜視図である。
【図８】本発明構造の第３の実施の形態を示すものであって、同図（Ａ）は、本発明構造に用いられる本発明固定具を示す斜視図であって、同図（Ｂ）は、同図（Ａ）に示す本発明固定具を上下逆さにすることで左右対称にした態様を示す斜視図である。
【図９】同実施の形態において、本発明構造を示す斜視図であって、同図（Ａ）は、室内側から見て左側にある上位パネル載せ部に立設した支柱を図８の図（Ａ）に示す状態にある本発明固定具を用いて段差部に止着した構造を示すものであり、同図（Ｂ）は、同図（Ａ）とは左右対称な状態を示すものであって、室内側から見て右側にある上位パネル載せ部に立設した支柱を図８の図（Ｂ）に示す状態にある本発明固定具を用いて段差部に止着した構造を示すものである。
【図１０】従来の浴室ユニットにおける支柱の立設構造を示す斜視図である。
【図１１】別態様の従来の浴室ユニットにおける支柱の立設構造を示す斜視図であり、同図（Ａ）は上位壁添接部に固定プレートを取付けた状態を示すものであり、同図（Ｂ）は上位パネル載せ部に支柱を立設した状態を示すものである。
【符号の説明】
【００３３】
１０…本発明構造（浴室ユニットにおける支柱の立設構造）２０…浴室ユニット  ２３…下位パネル載せ部  ２４…段差部  ２５…上位パネル載せ部  ２８…壁パネル連結用支柱  ２８ａ…半分側の下端  ２８ｂ…他方側の側部  ２８ｃ…室外側背面  ３０…支柱固定具  ３１…連結片  ３２…段差用当接片  ３３…支柱用当接片
【図１】
2008291509.tif 000003
【図２】
2008291509.tif 000004
【図３】
2008291509.tif 000005
【図４】
2008291509.tif 000006
【図５】
2008291509.tif 000007
【図６】
2008291509.tif 000008
【図７】
2008291509.tif 000009
【図８】
2008291509.tif 000010
【図９】
2008291509.tif 000011
【図１０】
2008291509.tif 000012
【図１１】
2008291509.tif 000013